(57)【要約】【課題】本発明は、移動が簡単にでき、かつ、被乾燥物を加熱する時間が短縮できる乾燥機を実現することを目的とする。【解決手段】熱風吹き出し箱１０、該熱風吹き出し箱１０を支持する複数の支持脚１１と、温度制御盤１２とを具備してなり、前記熱風吹き出し箱１０は箱状をなし、その内部所定位置に温度センサー１５が設けられ、且つ該熱風吹き出し箱１０の底板１３には多数の穴１３ａが穿設され、左右の壁には、すれ違うように熱風を吹き出す１対の熱風ヒーター１４，１４′が設けられてなり、前記支持脚１１は逆Ｌ字形なし、その一端を前記熱風吹き出し箱１０にボルト結合してなり、前記温度制御盤１２は、前記温度センサー１５からの情報により前記熱風ヒーター１４，１４′の発熱体１７に供給する電流を調節して熱風吹き出し箱内の温度を制御するように構成する。【選択図】      図１
2005061646.tif 000002
【特許請求の範囲】
【請求項１】
熱風吹き出し箱（１０）と、該熱風吹き出し箱（１０）を支持する複数の支持脚（１１）と、温度制御盤（１２）とを具備してなり、
前記熱風吹き出し箱（１０）は箱状をなし、その内部所定位置に温度センサー（１５）が設けられ、且つ該熱風吹き出し箱（１０）の底板（１３）には多数の穴（１３ａ）が穿設され、左右の壁には、すれ違うように熱風を吹き出す１対の熱風ヒーター（１４，１４′）が設けられてなり、
前記支持脚（１１）は逆Ｌ字形なし、その一端を前記熱風吹き出し箱（１０）にボルト結合してなり、
前記温度制御盤（１２）は、前記温度センサー（１５）からの情報により前記熱風ヒーター（１４，１４′）の発熱体（１７）に供給する電流を調節して熱風吹き出し箱内の温度を制御するようにしたことを特徴とする乾燥機。
【請求項２】
前記熱風ヒーター（１４，１４′）は、発熱体（１７）が巻回されたパイプ（１６）を熱風吹き出し箱（１０）の外部に設けられた送風機にエアホース（１８）により接続してなることを特徴とする請求項１記載の乾燥機。
【請求項３】
前記支持脚（１１）と熱風吹き出し箱（１０）との結合はスペーサー（２０）を挟んでボルト（２１）により結合され、該スペーサー（２０）の厚さ又は枚数を調節することにより熱風吹き出し箱（１０）の地面よりの高さを調節可能としたことを特徴とする請求項１記載の乾燥機。
【発明の詳細な説明】
【０００１】
【発明の属する技術分野】
本発明は、乾燥機に関する。詳しくは、製品にシルクスクリーン印刷または塗装を行った際、その印刷インクや塗料を乾燥するための小型可搬式の乾燥機に関する。
【０００２】
【従来の技術】
図４に、印刷または塗装物を乾燥するための従来の乾燥機の１例の断面図を示す。この乾燥機は、同図に示すように、載置された被乾燥物１を水平に横方向に移動して乾燥室２内を通過させるコンベア装置である移動手段３と、前記乾燥室２内にて、前記移動手段３の上方に水平方向に複数連設された加熱板体４と、隣接する加熱板体４間に開口され、チャンバー５に熱風を噴射する熱風噴射手段６と、前記乾燥室２内の熱風７を前記移動手段３の下方から引き込んで、前記チャンバー５へ接続循環し、かつ、前記熱風７を、前記乾燥室２から前記熱風噴射手段６に到達するまでの間にヒーター８により加熱する熱風循環手段９とを具備している。
【０００３】
そして、乾燥室２は、移動手段３に沿った細長に形成されており、駆動された移動手段３によって搬入された被乾燥物１を多数収容できるようになっている。また、乾燥室２は、移動手段３による被乾燥物１の出入口、熱風噴射手段６、熱風循環手段９による熱風７の引込ダクト９ａ以外は、全体として気密であり、熱風噴射手段６から噴射された熱風７は引込ダクト９ａから熱風循環手段９に引き込まれる気流を形成する。また、移動手段３としては、無端条体を利用したコンベア、ローラコンベア、トロリーコンベア、リフトコンベアー等、が用いられる。
【０００４】
【特許文献１】
特開平１１−３２５７２７号公報
【０００５】
【発明が解決しようとする課題】
上記のような従来の乾燥機においては、設備自体が大きいため移動は困難である。また、被乾燥物を内部に入れるため内部容積が大きく、被乾燥物が加熱されるまでに時間を要するという問題がある。
【０００６】
本発明は、上記従来の問題点に鑑み、移動が簡単にでき、かつ、被乾燥物を乾燥する時間が短縮できる小型の乾燥機を実現することを目的とする。
【０００７】
【課題を解決するための手段】
上記目的を達成するため、本発明の請求項１の乾燥機は、熱風吹き出し箱１０、該熱風吹き出し箱１０を支持する複数の支持脚１１と、温度制御盤１２とを具備してなり、前記熱風吹き出し箱１０は箱状をなし、その内部所定位置に温度センサー１５が設けられ、且つ該熱風吹き出し箱１０の底板１３には多数の穴１３ａが穿設され、左右の壁には、すれ違うように熱風を吹き出す１対の熱風ヒーター１４，１４′が設けられてなり、前記支持脚１１は逆Ｌ字形なし、その一端を前記熱風吹き出し箱１０にボルト結合してなり、前記温度制御盤１２は、前記温度センサー１５からの情報により前記熱風ヒーター１４，１４′の発熱体１７に供給する電流を調節して熱風吹き出し箱内の温度を制御するようにしたことを特徴とする。
【０００８】
また、請求項２は、前記熱風ヒーター１４，１４′は、発熱体１７が巻回されたパイプ１６を熱風吹き出し箱１０の外部に設けられた送風機にエアホース１８により接続してなることを特徴とする。また、請求項３は、前記支持脚１１と熱風吹き出し箱１０との結合はスペーサー２０を挟んでボルト２１により結合され、該スペーサー２０の厚さ又は枚数を調節することにより熱風吹き出し箱１０の地面よりの高さを調節可能としたことを特徴とする。
【０００９】
この構成を採ることにより、移動が簡単にでき、かつ、被乾燥物を乾燥する時間が短縮できる小型の乾燥機が得られる。
【００１０】
【発明の実施の形態】
図１及び図２は本発明の実施の形態を示す図であり、図１は斜視図、図２（ａ）は上面図、図２（ｂ）は（ａ）図のｂ−ｂ線における断面図、図２（ｃ）は下面図である。本実施の形態は、両図に示すように、熱風吹き出し箱１０と、該熱風吹き出し箱を支持する支持脚１１と、温度制御盤１２とを具備している。そして、前記熱風吹き出し箱１０は鉄又はアルミニュウム等の金属板（温度によっては樹脂でも良い）を用いて６面体の箱状に形成され、その底板１３には多数の穴１３ａが穿設されたパンチングメタルが用いられている。
【００１１】
また該熱風吹き出し箱１０の左右の壁には、吹き出す熱風がすれ違うように配置された熱風ヒーター１４，１４′と、中央壁部には温度センサー１５が配設されている。さらに該熱風吹き出し箱１０の左右の壁には蓄熱防止用の子孔１０ａが穿設されている。また、前記熱風ヒーター１４，１４′はパイプ１６に発熱体１７としてニクロム線が巻回されており、パイプ１６はエアホース１８により図示なき送風機に接続され、そのエアホース１８の途中には流量調整弁１９が挿入されて熱風吹き出し箱１０に供給されるエアの量を調整可能としている。
【００１２】
なお、前記温度センサー１５及び熱風ヒーター１４，１４′は図示なき配線により温度制御盤１２に接続されている。また、前記底板１３にパンチングメタルを用いたのは、熱風ヒーター１４，１４′からの熱風を直接被乾燥物に当てないようにした為である。また左右の熱風ヒーター１４，１４′を互いに吹き出す熱風がすれ違うように配置したことは、熱風吹き出し箱１０内の温度を均一になるようにし、パンチングメタルの孔１３ａから吹き出す熱風の温度のバラツキを少なくするためである。
【００１３】
また、前記支持脚１１はは逆Ｌ字形なし、その一端を前記熱風吹き出し箱１０の天板部にスペーサー２０を介してボルト２１により結合され、スペーサー２０の厚さ又は枚数を変更することにより熱風吹き出し箱１０の地上よりの高さ（つまり熱風吹き出し箱１０の底板と被乾燥物との距離）を変更することができるようになっている。また、前記温度制御盤１２は、前記温度センサー１５よりの情報により熱風ヒーター１４，１４′の発熱体１７に供給する電流を調節して熱風吹き出し箱１０内の温度を制御することができるようになっている。
【００１４】
このように構成された本実施の形態の作用を図３により説明する。先ず被乾燥物の高さに対応してスペーサー２０を調節して熱風吹き出し箱１０の高さを調節する。次いで、被乾燥物２２を熱風吹き出し箱１０の下方にセットする。図においては被乾燥物２２の１例として上面にシルクスクリーン印刷２３が施されたシリンダーヘッドカバーを用いている。
【００１５】
次いで、温度制御盤１２に対し希望の温度を設定した後、熱風ヒーター１４，１４′に通電すると共に図示なき送風機を駆動して熱風ヒーター１４，１４′にエアを供給する。すると、熱風ヒーター１４，１４′から熱風が吹き出し、さらに熱風はパンチングメタルの穴１３ａから下方に吹き出し、被乾燥物２２のシルクスクリーン印刷２３を加熱して乾燥させる。この場合の温度調節は温度制御盤１２が温度センサー１５からの情報により熱風ヒーター１４，１４′への供給電力を調節することにより行はれる。
【００１６】
【発明の効果】
本発明の乾燥機に依れば、熱風吹き出し箱と、該熱風吹き出し箱を支持する複数の支持脚と、温度制御盤とよりなる簡単な構成で、移動が容易であり、最小限のスペースにて被乾燥物を短時間で乾燥することができる。また、最小限のスペースで乾燥を行うことにより熱源までの距離が短く、且つ、熱を与える空間が少なくなるため被乾燥物の温度上昇までの時間を短縮することができる。なお、本発明は、印刷や塗装の乾燥機として利用できる他、樹脂材料の乾燥や接着剤の焼付け等にも利用することができる。
【図面の簡単な説明】
【図１】本発明の乾燥機の実施の形態を示す斜視図である。
【図２】本発明の乾燥機の実施の形態を示す図で、（ａ）は上面図、（ｂ）は（ａ）図のｂ−ｂ線における断面図、（ｃ）は下面図である。
【図３】本発明の乾燥機の実施の形態の作用を説明するための図である。
【図４】従来の乾燥機の１例を示す図である。
【符号の説明】
１０…熱風吹き出し箱
１１…支持脚
１２…温度制御盤
１３…底板
１３ａ…穴
１４，１４′…熱風ヒーター
１５…温度センサー
１６…パイプ
１７…発熱体
１８…エアホース
１９…流量調整弁
２０…スペーサー
２１…ボルト
２２…被乾燥物
２３…シルクスクリーン印刷
【図１】
2005061646.tif 000003
【図２】
2005061646.tif 000004
【図３】
2005061646.tif 000005
【図４】
2005061646.tif 000006